(57)【要約】      （修正有）【課題】生体に安全でマッサージ作用を有する振動数の振動的圧力刺激を、シミが生じ難い方法で顔面皮膚に適用する、電動顔面マッサージャーを提供する。【解決手段】モーター１を駆動装置とする電動顔面マッサージャーにおいて、モーター１を駆動することでカム６を回転させ、カム６の回転運動をカムフオロワ７の往復運動に換えることにより、回転運動を往復運動に変換し、往復運動によって振動的加圧刺激を加えるものであり、往復運動の頻度を１分間当たり６００回以下に制限して用いる。【選択図】図３
2019013716.tif 000002
【特許請求の範囲】
【請求項１】
１．  モーター、バッテリー、電源スイッチ、可変抵抗器、モーターと接続しモーターの回転運動を往復運動に変換する運動変換機構と、それらを収容するカバーケース、並びに、運動変換機構の往復運動部先端に設置した作用部を主要構成要素として、作用部を往復運動させる電動顔面マッサージャーにおいて、作用部が往復運動する回数を１分間当たり６００回以下とすることを特徴とする電動顔面マッサージャー。
【発明の詳細な説明】
【技術分野】
【０００１】  本発明は美容を目的とする電動顔面マッサージャーに関する。
【背景技術】
【０００２】  従来、マッサージを目的とする装置には理学療法を行う医療用以外に、家庭用としても種々な機器が提供されてきた。そして、それらは主として、筋肉のマッサージを目的とするものと、皮膚のマッサージを目的とするものとがあり、筋肉の疲労を回復して爽快感を得ることや、肌の美容が目的であった。
その様な中、電気や超音波、赤外線等、種々な刺激がマッサージのために用いられていたが、生体組織に力学的な負荷を与える装置に限っても、数多くの種類が存在していた。そして、それらの装置の中には、マッサージの手技として行われている軽擦、強擦、揉捏、叩打、振せん、圧迫等を、機械的に模倣するような機器が提供されていた他、一つの装置で複数の手技を模倣するような機器も提供されていたが、擦過刺激、圧迫刺激、振動刺激等、それぞれに異なる運動要素が必要となって装置が高価となる欠点があった。【０００３】  その様な中、振動刺激装置は比較的簡単な構造で安価であることから、家庭用として広く使用されていたが、マッサージ作用の有無、あるいは様態と、振動刺激の振動数との関係は、必ずしも明確ではなかった。【０００４】  一般的に、顔面皮膚の美容には、浮腫みをとり、弾性のある、みずみずしく若々しい肌とすることが目標とされ、化粧品としての有効な成分の検討が行われてきた他、理学的な方法として、顔面皮膚に振動刺激を加えることや、圧迫刺激を加えること、あるいは軽い擦過刺激を加えること等の他、多種、多様な刺激が利用されてきた。
一方、美容の目標とされる浮腫みの改善や、弾力あるみずみずしく若々しい肌の獲得は、生理学的には、皮膚真皮層の組織間隙内にある余剰な細胞外液の除去が、浮腫みを改善することであり、皮膚の真皮層にあり表皮層を支えている弾性線維の質と量を高め、そこに含まれる水分量を適正に保つことが、弾力ある肌とすることであり、みずみずしく若々しい肌も、真皮層に在って水分をよく含む性質のある弾性線維層を健全化して、組織間隙内に在る細胞外液を質と量において適正に維持し、組織の代謝活性を高めて、皮膚の最外層である上皮層におけるターノバーレイトを高めることであると考えることができる。この様なことから、美容には皮膚真皮層の弾性線維が極めて重要な役割を果たしていると考えられるが、その弾性線維は線維芽細胞から造られるため、組織の代謝が健全である必要があり、それを支えるには、皮膚組織にある微小循環系の健全性が大切である。そして、皮膚組織の微小循環系は適切なマッサージによって促進されることが知られている他、線維芽細胞は、組織に加わる適度な緊張や振動的圧力刺激によって活性化されると考えられている。
従って、美容を目的として、振動的圧力刺激を顔面マッサージの一方法として用いることは、生理的にも合理性があると考えられる。
しかしながら、従来から行われてきた美容の手技からも明らかなように、手による比較的低頻度の圧力刺激や軽い叩打が有効であることは、経験的に認識されていたが、その一方で、顔面皮膚に適用されてきた様々な機械による振動的圧力刺激の振動数は、その数十倍の、自然界の生体内では生じ得ないような振動数が一般的であった。しかし、それが安全で生理的に機能する範囲にあるかの検討は、十分になされていなかった。
例えば、振動による末梢循環障害が報告されていて、レイノー病やタイピスト病として知られている。このようなことから、例え振幅や加速度が小さく、使用時間の短い電動顔面マッサージャーといえども、これに備えることは意義のあることと考えられる。
また、手を用いて顔面皮膚を揉んだり捏ねたり擦るようなマッサージ法では、シミが生じ易いことが知られていたが、その原因として、皮膚の線維構造が横方向の力によって断裂され易い性質を有しているからであると考えられていた。【０００５】  上記に類似した問題は、高速振動が一般的となった電動歯ブラシにも存在していて、歯ブラシの振動刺激による歯周組織に対する生理的なマッサージ作用の発現と刷掃作用を両立する電動歯ブラシが提案されていた。
【先行技術文献】
【特許文献】
【０００６】
【特許文献１】特願２０１５−２３９７０４
【発明の概要】
【発明が解決しようとする課題】
【０００７】  本発明は、生体に安全でマッサージ作用を有する振動数の振動的圧力刺激を、シミが生じ難い方法で顔面皮膚に適用する、電動顔面マッサージャーの開発を課題とするものである【０００８】  上記の課題を解決するための必要事項は、皮膚に負荷する振動的圧力刺激の振動数が循環障害を生じることなく、生体内で微小循環系を促進する機能を有することであり、皮膚の線維構造を可及的に傷害しない刺激方法であることから、それに関連する生理学的事項を下記に示す。【０００９】  一般的に、哺乳類では、血液やリンパ液が全身を巡り物質移送を行って、代謝や情報伝達、免疫等の諸機能を担っているが、それら細胞外液が能動的に輸送されるのは心臓によって加圧される動脈血のみで、静脈血やリンパ液は心臓へ受動的に還流されている。このため、静脈血やリンパ液の移送には重力の影響を大きく受け、体位や姿勢にも影響を受けるが、それらを滞りなく心臓に還流するために、静脈弁やリンパ管弁、伴行動静脈等、様々な解剖学的構造と、心臓の拍動や呼吸運動、運動、体動等、生体内で生じる様々な動きや周期的圧力変動が巧みに組み合わされて、血液やリンパ液を中枢側へ移送する還流システムが、大循環系のみならず微小循環系においても備わっている。
例えば、呼吸運動は、呼吸筋や横隔膜を周期的に収縮弛緩させるものであるが、この際に、大循環系では、筋肉周囲静脈の周期的圧迫や、胸腔内に生じる周期的な陰圧等によって、静脈血の心臓への還流が促進される。同時に、筋肉内や筋肉周囲組織にある微小循環系にも周期的な圧力変動が生じ、陰圧時には細胞外液が毛細血管静脈側やリンパ管に移入して、微小循環系に取り込まれている。一方、加圧時には、それらが、それぞれの中枢側へ移送されている。そして、この様な還流を引き起こす圧力の変動数は呼吸数に等しく、平常時、象では１分間に約６回、人では約１７回である。しかし、兎や犬等が、暑熱時、体熱放散のために浅速呼吸を行っている状態では、１分間に数十回からそれ以上の回数にまで達していて、ハムスター等では平常時でも１分間に約１３５回、マウス等では１分間に約２００回近くの呼吸を行っている。そして、これらの動物では、それぞれの呼吸運動が及ぶ範囲において、周期的圧力変動として作用して、静脈血やリンパ液の還流が、大循環系、微小循環系において促進されている。
また、リズミカルな体動や運動、歩行、咀嚼運動、あるいは間歇的な体動等も、関連する筋肉の筋圧や周囲の組織圧を周期的あるいは間歇的に変動させ、含まれる静脈やリンパ管を圧迫して、静脈血やリンパ液の還流を促進している。この様なマッスルポンプ作用は大循環系に止まらず、微小循環系の毛細血管やリンパ管でも同様に働いて、末梢の静脈血やリンパ液を中枢側へ移送し、それらの還流に重要な役割を果たしている。
さらに、心臓の拍動によって生じる動脈壁側圧の周期的な変動が、動脈周囲組織の微小循環系に作用して、静脈血やリンパ液の還流を促進する他、動脈と伴行する静脈に周期的な圧力変動を及ぼし、静脈中の静脈血を中心側へ還流促進しているが、この圧力変動の源は心臓であり、心拍数が圧力変動の頻度である。平常時の心拍数は、大型動物の象で１分間に約２０回程度、ヒトでは１分間に約６０〜８０回程度であるが、ハツカネズミ等の小型哺乳類では、興奮時、１分間に約６００〜７００回程度もあることが知られている。
以上の、大小、種を問わず、比較的身近な哺乳類の生体内で、生理的に起きている周期的な圧力変動の頻度を集計すると、１分間に数回から約７００回程度となり、生理的な状態での呼吸数や心拍数は、種によって大きな差を有していることが明らかである。しかしながら、その主な原因は、動物のサイズによると考えられている。【００１０】  一方、微小循環系では、組織的構造やサイズの種による差異が少なく、生理的なメカニズムや生理的な値も近似していることから、種をまたいで参考に資することが可能である。従って、前述したそれら動物の生体内で生理的に生じている圧力変動の頻度の範囲では、それら動物の微小循環系は生理的に正常に機能しており、それはまた、ヒトの微小循環系においても、還流システムが生理的に正常に機能することができると考えられる。よって、その様な圧力変動の頻度では、人工的な振動的圧力刺激といえども、生体内でマッサージ作用を生じさせることができると考えられる。【００１１】  前述の通り、微小循環系での静脈血やリンパ液の中枢側への移動には、周期的な圧力変動が重要な役割を果たしている。皮膚組織が圧迫される加圧時には、毛細血管やリンパ管も圧迫され、管内を満たしていた静脈血やリンパ液が圧力の低いそれぞれの管の中枢側に移送される。圧迫が消退して、押しつぶされていたそれぞれの脈管が元の形状に戻ろうとする際には、管内に陰圧が生じるが、先に中枢側に移送された静脈血やリンパ液は、それぞれの管内の弁によって逆流が阻止され、そこに留まっている。一方で、加圧を受けなかった末梢の周囲組織から、静脈血やリンパ液が陰圧部に流入して、管内がそれらによって充満される。これに再び、加圧による陽圧と、その後の陰圧が繰り返されて、静脈血やリンパ液が順次中枢側へと移送され、末梢組織での物質の出入りと交換が行われている。
マッサージ作用のメカニズムの一部がこの様なことから、静脈血やリンパ液が順次中枢側へ移送、還流されるには、加圧が除かれ陰圧となった静脈内やリンパ管内に、再び末梢からの静脈血やリンパ液が流入して満たされる必要があり、そのためには、充満に要する時間が確保される必要がある。従って、この様な再充満時間よりも短い間隔で圧力刺激が繰り返えされる大きな振動数の圧力刺激では、いくら皮膚組織に振動的圧力刺激が加えられても、送り出すべき血液やリンパ液がそれぞれの管内に流入せず、同部の微小循環系システムが有効に機能することができない。このようなことから、振動刺激でマッサージ作用を生じさせるためには、ヒトの皮膚の微小循環系において還流システムが有効に機能し得る振動数である必要があり、少なくとも、比較的身近な大小の動物の生体内で実際に作動している圧力変動の頻度を、機器が皮膚組織に与える振動的圧力刺激の振動数として適応することは、微小循環系における生理的な合理性を有していると考えることができる。【００１２】  しかしながら、一方で、チェーンソー、さく岩機などの振動工具を長時間使用していると、手指に循環障害が生じてくることが知られている。近年では、キーパンチャーやタイピストの手指にも白蝋病の発生が報告されている。しかし、その原因を探求する研究の中では、動脈壁に加わる振動刺激の周波数が１０Ｈｚ／ｓｅｃ以下の場合には、そのような現象が発現しないことが明らかとなっていた。
このようなことから生体に適用する振動刺激は、必ずしも高い振動数が高い作用を有するものではなく、また、安全性の高いものでないことは明らかであった。【００１３】  さらに、皮膚の線維構造が横方向の力によって断裂され易い性質を有していると考えられていることから、マッサージの手技として行われている軽擦、強擦、揉捏等を、機械的に模倣するような機器は、顔面皮膚のマッサージには、必ずしも適当ではないと考えられた。
【課題を解決するための手段】
【００１４】  本発明は、モーターを駆動装置とする電動顔面マッサージャーにおいて、モーターの回転運動を運動変換機構によって往復運動に変換し、往復運動によって振動的加圧刺激を加えるものであり、往復運動の頻度を１分間当たり６００回以下に制限することを手段とするものである。【００１５】  本発明は、モーターの回転運動を運動変換機構によって往復運動に換え、皮膚表面に対してほぼ垂直的に力を作用させることが可能であることから、皮膚の線維構造内に水平方向の捻力や擦り力が生じることが抑制され、線維の断裂を防いでシミの発症を抑制する作用を有するものである。
さらに、振動的圧力刺激の頻度を１分間に６００回以下に制限することによって、循環障害を生じることなく安全に微小循環系を促進する作用を生じさせることができる。【００１６】  皮膚に垂直的な圧力刺激は圧力の横方向への方向性を持たないので、静脈血やリンパ液は常に被加圧部から圧力の低い中枢側へ流れることができる。一方、擦る、摩る等に類似した横方向への方向性を有する圧力刺激では、加圧方向が中枢側に一致しない場合、逆流が生じて、それが弁で阻止されるため、効率的なマッサージ作用が生じない恐れがあった。
また、皮膚の静脈やリンパ管においては、表層部の血液やリンパ液を集めながら、それぞれ、その径を太くしながら深層部に移行している。同時に、皮膚の深層部に在る静脈やリンパ管では、それぞれ、表層部にある静脈やリンパ管の内圧よりも低いことから、表層部と深層部との間に縦の圧力勾配が存在して、深層部は表層部に対して常に中枢側として機能する。このため、皮膚表層に垂直的に加えられる振動的圧力刺激は、常に中枢側への振動的圧力刺激として作用するため、効率の良いポンピング作用が生じて、効果的なマッサージ作用を生じさせることができる。
【発明の効果】
【００１７】本発明では、下記の効果を得ることができる。
１．本発明の適用によって、余剰な組織間液を排出するためのリンパ輸送を含む皮膚組織の微小循環系を改善し、それによって組織の代謝活性を高め、線維芽細胞を活性化させて健全な弾性線維を多く造るよう作用する。さらに、皮膚組織の代謝の活性化は、上皮層のターノバーレイトを高くすることから、常に新しい上皮層が生成維持されて、瑞々しく弾力ある若々しい肌を得る効果がある。
２．振動的圧力刺激の振動数が、哺乳類の生体内で生理的に機能している周期的圧力変動の頻度内であり、且つ、循環障害を生じない範囲にある。その上で、皮膚表面に対してほぼ垂直的な方向に圧力を及ぼすことができることから、シミを発症する恐れが少なく、安全にマッサージに使用することができる。
３．電気回路や機械構造が簡単なため、安価に製造することができる。
【図面の簡単な説明】
【００１８】
【図１】は、運動変換機構にカム機構を用いた本発明による実施形態の、往復運動の復運動終末時における運動変換機構を示す平面図である。
【００１９】
【図２】は、運動変換機構にカム機構を用いた本発明による実施形態の、往復運動の往運動終末時における運動変換機構を示す平面図である。
【００２０】
【図３】は、本発明の実施形態を示す電動顔面マッサージャーの復運動終末時における、ケースを除いた主要構成要素を示す模式図である。
【００２１】
【図４】は、本発明の実施形態を示す電動顔面マッサージャーの、往運動終末時の側面図である。
【発明を実施するための形態】
【００２２】  以下、本発明の実施の形態を図１〜４に基づいて説明する。
【００２３】  図においては、運動変換機構としてカム機構を用いたもので、モーター（１）の回転軸を伝達軸（５）としてカム（６）と接続し、モーター（１）を駆動することでカム（６）を回転させ、カム（６）の回転運動をカムフオロワ（７）の往復運動に換えることにより、カムフオロワ（７）の先端に作用部設置ディスク（１０）を介して設置した円盤型のシリコンゴム製の作用部（１１）を、往復直線運動させるものである。
ガイドチューブ（９）はカバーケース（１２）の中で固定されており、ガイドチューブ（９）の中を通るカムフオロア（７）の運動軌道を安定させるものである。また、スプリング（８）はカムフオロア（７）とカム（６）を常に接触させるよう作用するものである。
本実施例ではカム機構を用いているが、モーターの回転運動を往復運動に変換できるものであれば、運動変換機構はカム機構に限られるものではなく、スライダクランク機構や磁力を用いたものでも採用することが可能である。
また、バッテリーにおいても、乾電池以外に充電式のバッテリーも適当である。
【００２４】    電源スイッチ（３）をオンにした上で可変抵抗器（４）を操作することにより、振動的圧力刺激の振動数を変えることが可能である。なお、可変抵抗器（４）の抵抗値は、モーター（１）の回転数が６００／分〜０／分となるように設定するものである。
【符号の説明】
【００２５】１．モーター
２．バッテリー
３．電源スイッチ
４．可変抵抗器
５．伝達軸（モーター駆動軸）
６．板カム
７．カムフオロア
８．スプリング
９．ガイドチューブ
１０．作用部設置ディスク
１１．作用部
１２．カバーケース
【図１】
2019013716.tif 000003
【図２】
2019013716.tif 000004
【図３】
2019013716.tif 000005
【図４】
2019013716.tif 000006
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
ＤＣギアドモーターと、これに接続してＤＣギアドモーターを駆動するバッテリー、電源スイッチ、可変抵抗器とからなる電気回路、並びに、ＤＣギアドモーターの回転軸に接続してＤＣギアドモーターの回転運動を往復直線運動に変換する運動変換機構、さらに、ＤＣギアドモーター、バッテリー、運動変換機構を内部に収容して、電源スイッチと可変抵抗器の操作部を側面に設けた二つの穴から外部に挿出して設置するカバーケース、そして、カバーケースの外に突出させた運動変換機構の往復直線運動部最先端に設置した作用部を主要構成要素として、カバーケースの外に突出して設置した作用部を往復直線運動させる電動顔面マッサージャーにおいて、作用部の水平速度が曲線的に増減する往復直線運動の回数を、１分間当たり６００回未満とすることを特徴とする電動顔面マッサージャー。
【手続補正書】
【提出日】平成30年1月30日(2018.1.30)
【手続補正１】
【補正対象書類名】明細書
【補正対象項目名】００１４
【補正方法】変更
【補正の内容】
【００１４】  本発明は、低速用ＤＣギアドモーターを駆動装置とする電動顔面マッサージャーにおいて、モーターの回転運動を運動変換機構によって、水平速度が曲線的に増減する往復直線運動に変換し、往復直線運動によって振動的圧力刺激を加えるものであり、水平速度が曲線的に増減する往復直線運動の頻度を１分間当たり６００回未満に制限することを手段とするものである。
【手続補正２】
【補正対象書類名】明細書
【補正対象項目名】００１５
【補正方法】変更
【補正の内容】
【００１５】  本発明は、モーターの回転運動を運動変換機構によって、水平速度が曲線的に増減する往復直線運動に換え、皮膚表面に対してほぼ垂直的に力を作用させることが可能であることから、皮膚の線維構造内に水平方向の捻力や擦り力が生じることが抑制され、線維の断裂を防いでシミの発症を抑制する作用を有するものである。さらに、振動的圧力刺激の頻度を１分間に６００回未満に制限することによって、循環障害を生じることなく安全に微小循環系を促進する作用を生じさせることができる。
【手続補正３】
【補正対象書類名】明細書
【補正対象項目名】００２３
【補正方法】変更
【補正の内容】
【００２３】  図においては、運動変換機構としてカム機構を用いたもので、低速用ＤＣギアドモーター（１）の回転軸を伝達軸（５）としてカム（６）と接続し、低速用ＤＣギアドモーター（１）を駆動することでカム（６）を回転させ、カム（６）の回転運動をカムフオロワ（７）の往復直線運動に換えることにより、カムフオロワ（７）の先端に作用部設置ディスク（１０）を介して設置した円盤型のシリコンゴム製の作用部（１１）を、水平速度が曲線的に増減する往復直線運動させるものである。
ガイドチューブ（９）はカバーケース（１２）の中で固定されており、ガイドチューブ（９）の中を通るカムフオロア（７）の直線的運動軌道を安定させるものである。また、スプリング（８）はカムフオロア（７）とカム（６）を常に接触させるよう作用するものである。
本実施例ではカム機構を用いているが、低速用ＤＣギアドモーターの回転運動を、水平速度が曲線的に増減する往復直線運動に変換できるものであれば、運動変換機構はカム機構に限られるものではなく、スライダクランク機構を用いたものでも採用することが可能である。
また、バッテリーにおいても、乾電池以外に充電式のバッテリーも適当である。
【手続補正４】
【補正対象書類名】明細書
【補正対象項目名】００２４
【補正方法】変更
【補正の内容】
【００２４】  電源スイッチ（３）をオンにした上で可変抵抗器（４）を操作することにより、振動的圧力刺激の振動数を変えることが可能である。なお、可変抵抗器（４）の抵抗値は、低速用ＤＣギアドモーター（１）の回転数が６００／分未満となるように設定するものである。
【手続補正５】
【補正対象書類名】明細書
【補正対象項目名】００２５
【補正方法】変更
【補正の内容】
【００２５】１．低速用ＤＣギアドモーター
２．バッテリー
３．電源スイッチ
４．可変抵抗器
５．伝達軸（モーター駆動軸）
６．板カム
７．カムフオロア
８．スプリング
９．ガイドチューブ
１０．作用部設置ディスク
１１．円盤型シリコンゴム製作用部
１２．カバーケース